(57)【要約】【課題】ガーダ端部が建屋妻壁に位置することから、耐力に余裕のある妻壁を利用して、簡単な構造でクレーン本体を確実に固定できる天井クレーンの固定装置および固定方法を得る。【解決手段】建屋３躯体の両側に設けたガーダ２と、この上を走行するクレーン本体１とで構成する天井クレーンにおいて、前記ガーダ２の端部が位置する建屋妻壁４ａに、クレーン本体１固定用の挟着部材であるガイド９を有する水平架構トラス６を設置し、クレーン本体１の下部に前記挟着部材であるガイド９により挟着される複数の突出部材であるリブ８を設けた。【選択図】        図１
2007145484.tif 000002
【特許請求の範囲】
【請求項１】
建屋躯体の両側に設けたガーダとこの上を走行するクレーン本体とで構成する天井クレーンにおいて、前記ガーダの端部が位置する建屋妻壁にクレーン本体固定用の挟着部材を有する水平架構を設置し、クレーン本体の下部に前記挟着部材で挟着される複数の突出部材を設けたことを特徴とする天井クレーンの固定装置。
【請求項２】
前記水平架構は鉄骨トラスで形成する請求項１記載の天井クレーンの固定装置。
【請求項３】
建屋躯体の両側に設けたガーダとこの上を走行するクレーン本体とで構成する天井クレーンにおいて、建屋妻壁に設置した水平架構に設けたクレーン本体固定用の挟着部材で、クレーン本体の下部に設けた複数の突出部材を挟着して、地震等の振動によりガーダを介して建屋に作用しようとする反力が妻壁側に直接伝達されるようにクレーン本体を建屋妻壁に固定することを特徴とする天井クレーンの固定方法。
【発明の詳細な説明】
【技術分野】
【０００１】
本発明は、原子力発電施設や各種工場などに設置されている天井クレーンの固定装置および固定方法に関するものである。
【背景技術】
【０００２】
例えば原子力発電施設の原子炉建屋に設置される天井クレーンは、周知のように建屋躯体の上部両側に設置されたランウェイガーダに設けた走行レール上に、クレーンガーダ（クレーン本体）を走行可能に配置している。
【０００３】
かかる天井クレーンは、発電施設の出力によって規模は異なるが、国内の標準的な１１０万Ｋｗ級のＢＷＲ型発電炉の場合を例にとると、建屋内の梁（ガーダ）上に設置された２本のレール間隔は４０ｍ程度、その間に架けられた天井クレーン本体および巻き上げ機の合計重量は３００〜４００ｔ程度、吊り上げ能力は定格で２５０ｔ程度である。
【０００４】
このような天井クレーンに対する耐震対策として、従来、例えば地震発生時にクレーン本体を浮き上がりにくくしたもの（例えば特許文献１参照）や、クレーン本体の走行車輪がレールから脱輪しにくくしたもの（例えば特許文献２参照）がある。
【０００５】
特許文献１に記載の発明は、クレーン本体の走行レールを支持するレール架台上に、クレーン本体の車輪フレームの移動軌跡を取り囲むようにしたシュラウドケースを設け、このシュライドケース内に前後方向に延びる抵抗板を水平に配し、車輪フレームに取り付けたスライダを抵抗板に係合させるものである。
【０００６】
また、特許文献２に記載の発明は、天井クレーンの内部を長さ方向にそって区画する複数の仕切り板の上下中間位置に横方向に延びるダンパ支持部材を固定し、ダンパ支持部材の先端と上板材および下板材との間に、上下方向の振動を抑制するダンパを設けたものである。
【特許文献１】特開平８−２３１１８３号公報
【特許文献２】特開２００１−１０７７９号公報
【発明の開示】
【発明が解決しようとする課題】
【０００７】
前記従来技術は、地震時のクレーン本体の上下動や、レールからの脱輪を防止するだけの制震、免震構造であり、クレーン本体を積極的に固定する固定構造ではなく、耐震対策として十分なものとはいえない。
【０００８】
一方、一般的に天井クレーンは、施設の供用期間中は主に年に一度程度実施される発電施設の定期点検時にだけ使用される。したがって天井クレーンは、ほとんどの期間不使用時のエリアにあり、通常、ガーダ端部に停止している。
【０００９】
本発明の目的は、前記事情に鑑みてガーダ端部が建屋妻壁に位置することから、耐力に余裕のある妻壁を利用して、簡単な構造でクレーン本体を確実に固定できる天井クレーンの固定装置および固定方法を提供することにある。
【課題を解決するための手段】
【００１０】
本発明は前記目的を達成するものとして、請求項１記載の発明は、固定装置として、建屋躯体の両側に設けたガーダと、この上を走行するクレーン本体とで構成する天井クレーンにおいて、前記ガーダの端部が位置する建屋妻壁にクレーン本体固定用の挟着部材を有する水平架構を設置し、クレーン本体の下部に前記挟着部材で挟着される複数の突出部材を設けたことを要旨とするものである。
【００１１】
請求項２記載の発明は、前記水平架構は鉄骨トラスで形成することを要旨とするものである。
【００１２】
請求項３記載の発明は、固定方法として、建屋躯体の両側に設けたガーダとこの上を走行するクレーン本体とで構成する天井クレーンにおいて、建屋妻壁に設置した水平架構に設けたクレーン本体固定用の挟着部材で、クレーン本体の下部に設けた複数の突出部材を挟着して、地震等の振動によりガーダを介して建屋に作用しようとする反力が、妻壁側に直接伝達されるようにクレーン本体を建屋妻壁に固定することを要旨とするものである。
【００１３】
請求項１および請求項３の本発明によれば、クレーン本体の下部に設けた突出部材が、建屋妻壁に設置した水平架構に設けた挟着部材で挟着されることで、天井クレーンは建屋の妻壁に固定されることになる。よって、地震時には、ガーダに直交する方向の地震力に対しては、耐力に余裕のある妻壁に直接伝達されるから、妻壁で天井クレーンを支えることができる。
【００１４】
また、ガーダ方向の地震力に対しては、クレーン本体の下部に設ける突出部材と建屋妻壁に設置した水平架構に設けた挟着部材による拘束はなく、天井クレーンから伝達される建屋への地震力は考慮する必要がない。
【００１５】
請求項２記載の本発明によれば、水平架構を鉄骨トラスとすることで、所要の剛性を確保しつつ、軽量で、発電設備の定期点検時の作業スペースに影響を及ぼすことなく設置できる。
【発明の効果】
【００１６】
以上述べたように本発明の天井クレーンの固定装置および方法は、天井クレーン本体が走行するガーダ端部が建屋妻壁に位置し、天井クレーンの不使用時には天井クレーン本体はガーダ端部に停止していることから、クレーン本体を妻壁に固定することにより、地震発生時には耐力に余裕のある妻壁に地震力を直接伝達でき、簡単な構造でクレーン本体を確実に固定でき、天井クレーンに対する建屋の耐震安全性が向上する。
【発明を実施するための最良の形態】
【００１７】
以下、図面について本発明の実施形態を詳細に説明する。図１は本発明の天井クレーンの固定装置の実施形態を示す平面図、図２は同上縦断側面図で、図中１は天井クレーンのクレーン本体、２は建屋３の両側の外壁４の内側対向位置に配設したガーダを示し、クレーン本体１はガーダ２上を走行可能に配設されている。図中５はクレーン本体１に搭載の巻き上げ機を示す。
【００１８】
本発明はかかる構成の天井クレーンにおいて、天井クレーンの固定装置として、建屋３の妻側の妻壁４ａおよび柱４ｂに水平架構トラス６を設置する。
【００１９】
この水平架構トラス６は、十分な剛性を確保できるとともに、軽量で、発電設備の定期点検時の作業スペースに影響を及ぼさないものとして、鉄骨を使用するもので、図２に示すように不使用による停止時のクレーン本体１と妻壁４ａとの間に形成される空間７を利用してここに設置され、妻壁４ａの柱４ｂに弦材６ａを留め、上下方向のサポートとして方杖６ｂを必要数設けた。なお、水平方向の剛性が不足する場合は、方杖面も水平トラスとすることができる。
【００２０】
一方、クレーン本体１の下部に突出部材としてリブ８を複数設ける。リブ８の形成部位は、例えば柱４ｂに対応する位置とする。
【００２１】
そして、水平架構トラス６の上側に、前記リブ８を両側から挟着する挟着部材としてのガイド９を設ける。
【００２２】
これにより、図３、図４に示すようにクレーン本体１の不使用による停止時には、クレーン本体１はガーダ２の端部の妻壁４ａ側に停止しているが、このときリブ８が両側からガイド９で挟まれた状態にあり、クレーン本体１はリブ８、ガイド９、水平架構トラス６を介して妻壁４ａおよび柱４に固定されている。
【００２３】
よって、この状態で地震が発生しても、ガーダ２に直交する方向の地震力に対しては、耐力に余裕のある妻壁４ａでクレーン本体１を支えることができ、また、ガーダ２方向の地震力に対しては、リブ８とガイド９との係合による拘束力は作用しないので、考慮する必要がない。
【図面の簡単な説明】
【００２４】
【図１】本発明の天井クレーンの固定装置および方法の実施形態を示す平面図である。
【図２】本発明の天井クレーンの固定装置および方法の実施形態を示す縦断側面図である。
【図３】本発明の天井クレーンの固定装置および方法の実施形態を示す要部の正面図である。
【図４】本発明の天井クレーンの固定装置および方法の実施形態を示す要部の側面図である。
【符号の説明】
【００２５】
１  クレーン本体                ２  ガーダ
３  建屋                        ４  外壁
４ａ  妻壁                      ４ｂ  柱
５  巻き上げ機                  ６  水平架構トラス
６ａ  弦材                      ６ｂ  方杖
７  空間                        ８  リブ
９  ガイド
【図１】
2007145484.tif 000003
【図２】
2007145484.tif 000004
【図３】
2007145484.tif 000005
【図４】
2007145484.tif 000006